(57)【要約】【課題】棒体に容易に着脱することができ、棒体から外れて落下することが良好に防止されたフック、及び該フックを有する吊下げ具を提供する。【解決手段】吊下げ具のフック１は、Ｃ字状をなし、外部の棒体に外嵌される外嵌部材３と、外嵌部材３をＣ字の上下方向に摺動可能に支持し、外嵌部材３が一側に摺動したときにＣ字の開口の少なくとも一部を閉塞するように前記上下方向に延びる閉塞部２４を有する支持部材２とを備える。外嵌部材３を棒体に外嵌して手を放すことで、自重及びフック１が吊り下げるものの重量により支持部材２が下降し、即ち外嵌部材３が支持部材２に対し相対的に上昇し、フック１が容易に、負担がなく、棒体に掛けられる。【選択図】図２
2019130280.tif 000002
【特許請求の範囲】
【請求項１】
Ｃ字状をなし、外部の棒体に外嵌される外嵌部材と、
該外嵌部材をＣ字の上下方向に摺動可能に支持し、
該外嵌部材が一側に摺動したときにＣ字の開口の少なくとも一部を閉塞するように前記上下方向に延びる閉塞部を有する支持部材と
を備えることを特徴とするフック。
【請求項２】
前記支持部材は、前記上下方向に延びる孔を有し、
前記外嵌部材は、前記孔に嵌合される嵌合部を有し、
前記孔に案内されて、前記嵌合部が摺動することを特徴とする請求項１に記載のフック。
【請求項３】
前記支持部材の前記一側に回動可能に支持され、前記外嵌部材が前記一側に摺動したときに、回動して前記棒体に係止される係止部材を備えることを特徴とする請求項１又は２に記載のフック。
【請求項４】
前記外嵌部材は、前記一側の端部に、周方向に延びる溝部を有し、
前記係止部材は、回動するときに前記溝部に挟持される挟持部を有することを特徴とする請求項３に記載のフック。
【請求項５】
前記外嵌部材は、前記一側に凹部を有し、
前記係止部材は、
弾性を有し、前記外嵌部材が前記一側に摺動したときに一端部が前記凹部に係合される係合部を有することを特徴とする請求項３又は４に記載のフック。
【請求項６】
前記外嵌部材は、前記一側に突出する突出部を有し、
前記係止部材は、
弾性を有し、前記外嵌部材が前記一側に摺動したときに一端部が前記突出部に係合される係合部を有することを特徴とする請求項３又は４に記載のフック。
【請求項７】
前記外嵌部材は、弾性を有し、Ｃ字の両端部に外向きの突起部が設けられたΩ状をなすことを特徴とする請求項１又は２に記載のフック。
【請求項８】
請求項１から７までのいずれか１項に記載のフックと、
該フックが取り付けられ、被吊下げ物が吊下げ保持される保持部と
を備えることを特徴とする吊下げ具。
【発明の詳細な説明】
【技術分野】
【０００１】
本発明は物干し竿等の棒体に掛けられるフック、及び該フックを備え、洗濯物等の被吊下げ物を吊り下げる吊下げ具に関する。
【背景技術】
【０００２】
特許文献１等の従来の物干しハンガー等の吊下げ具は、物干し竿に掛けるフックと、フレーム及び洗濯挟み等からなり、洗濯物等の被吊下げ物を保持する保持部とを備える。フックは、一対の挟持片を開閉自在に相互に取着し、挟持片をばねにより常時閉じる方向に付勢してなる。
【０００３】
この吊下げ具を物干し竿等の棒体に吊下げる際には、フックの各挟持片の各下端部をばねの力に抗して手で強く把持し、挟持片が開いた状態で吊下げ具を持上げ、開口した挟持片間に物干し竿を挟持させる。この構成のフックによれば、物干し竿から外れて落下することが防止される。
【先行技術文献】
【特許文献】
【０００４】
【特許文献１】特開２００３−２４６９５号公報
【発明の概要】
【発明が解決しようとする課題】
【０００５】
濡れた洗濯物を予め吊るしてある場合を含め、特許文献１の吊下げ具は、かなりの重量があるため、フックの各挟持片の各下端部をばねの力に抗して手で強く把持し、挟持片が開いた状態で吊下げ具を持上げることは、作業者に大きな負担がかかる。
【０００６】
本発明は斯かる事情に鑑みてなされたものであり、棒体に容易に着脱することができ、棒体から外れて落下することが良好に防止されたフック、及び該フックを有する吊下げ具を提供することを目的とする。
【課題を解決するための手段】
【０００７】
本発明の一態様に係るフックは、Ｃ字状をなし、外部の棒体に外嵌される外嵌部材と、該外嵌部材をＣ字の上下方向に摺動可能に支持し、該外嵌部材が一側に摺動したときにＣ字の開口の少なくとも一部を閉塞するように前記上下方向に延びる閉塞部を有する支持部材とを備えることを特徴とする。
【０００８】
上記構成によれば、外嵌部材を物干し竿等の棒体に外嵌して手を放すことで、自重及びフックが吊り下げるものの重量により支持部材が下降し、即ち外嵌部材が支持部材に対し相対的に上昇し、フックが棒体に掛けられる。特許文献１のフックの場合、棒体に掛けるときに前記挟持片の下端部をばねの力に抗して持つ必要があるが、上記構成の場合、フックのいずれの部分を持ってもよく、力を掛ける必要がないため、作業者の負担が少なく、フックを棒体に容易に掛けることができる。外嵌部材が上側に摺動したときに、外嵌部材のＣ字の開口の少なくとも一部が、閉塞部により閉じられるので、フックが棒体から外れて落下するのが防止される。また、支持部材を持ち上げることにより、外嵌部材が相対的に下降し、Ｃ字の開口が閉塞部により閉塞されなくなるので、容易に、負担がなく、フックを棒体から取り外すことができる。
【０００９】
本発明の一態様に係るフックは、前記支持部材は、前記上下方向に延びる孔を有し、前記外嵌部材は、前記孔に嵌合される嵌合部を有し、前記孔に案内されて、前記嵌合部が摺動することを特徴とする。
【００１０】
上記構成によれば、外嵌部材が容易に、スムーズに、支持部材に対し上下動できる。
【００１１】
本発明の一態様に係るフックは、前記支持部材の前記一側に回動可能に支持され、前記外嵌部材が前記一側に摺動したときに、回動して前記棒体に係止される係止部材を備えることを特徴とする。
【００１２】
上記構成によれば、外嵌部材が前記一側に摺動したときに、係止部材が回動してフックが棒体に係止されるので、フックの揺れ及び横滑りが防止される。また、閉塞部に加えて係止部材を有するので、フックが棒体から外れて落下するのがより防止されている。
そして、棒体の外径に応じて、良好にフックが棒体に係止される。
【００１３】
本発明の一態様に係るフックは、前記外嵌部材は、前記一側の端部に、周方向に延びる溝部を有し、前記係止部材は、回動するときに前記溝部に挟持される挟持部を有することを特徴とする。
【００１４】
上記構成によれば、挟持部が外嵌部材の溝に挟まれながら、係止部材がスムーズに回動でき、端部が棒体に係止される。
【００１５】
本発明の一態様に係るフックは、前記外嵌部材は、前記一側に凹部を有し、前記係止部材は、弾性を有し、前記外嵌部材が前記一側に摺動したときに一端部が前記凹部に係合される係合部を有することを特徴とする。
【００１６】
上記構成によれば、外嵌部材が前記一側に摺動したときに、係合部が凹部に挟持され、係合部の弾性力により係止部材が回動する。
【００１７】
本発明の一態様に係るフックは、前記外嵌部材は、前記一側に突出する突出部を有し、前記係止部材は、弾性を有し、前記外嵌部材が前記一側に摺動したときに一端部が前記突出部に係合される係合部を有することを特徴とする。
【００１８】
上記構成によれば、外嵌部材が前記一側に摺動したときに、係合部が突出部に係合され、係止部材が回動して、棒体に係止される。
【００１９】
本発明の一態様に係るフックは、前記外嵌部材は、弾性を有し、Ｃ字の両端部に外向きの突起部が設けられたΩ状をなすことを特徴とする。
【００２０】
上記構成によれば、外嵌部材が前記一側に摺動したときに、一方の突起部が係止部材の内周面に係合し、他方の突起部が係止部材の端部に当接して、棒体が外嵌部材に拘束される。外嵌部材は弾性を有するので、突起部間を開くことで、棒体は容易に挿入できる。
【００２１】
本発明の一態様に係る吊下げ具は、上述のいずれかのフックと、該フックが取り付けられ、被吊下げ物が保持される保持部とを備えることを特徴とする。
【００２２】
上記構成によれば、フックの外嵌部材を棒体に外嵌して手を放すことにより、支持部材が下降し、即ち外嵌部材が支持部材に対し相対的に上昇し、容易にフックが棒体に係止される。このとき、外嵌部材のＣ字の開口の少なくとも一部が、閉塞部により閉塞されるので、フックが棒体から外れて落下するのが防止される。また、支持部材を持ち上げることにより、外嵌部材が相対的に下降し、Ｃ字の開口が閉塞部により閉塞されなくなるので、容易にフックを棒体から取り外すことができる。
【発明の効果】
【００２３】
本発明によれば、外嵌部材を棒体に外嵌して手を放すことで、外嵌部材が支持部材に対し相対的に上昇し、フックが棒体に容易に、負担がなく掛けられる。外嵌部材が上側に摺動したときに、外嵌部材のＣ字の開口の少なくとも一部が、閉塞部により閉塞されるので、フックが棒体から外れて落下するのが防止される。そして、支持部材を持ち上げることにより、外嵌部材が相対的に下降し、外嵌部材の開口部が開いて、フックを棒体から容易に、負担がなく取り外すことができる。
【図面の簡単な説明】
【００２４】
【図１】実施の形態１に係る吊下げ具を示す斜視図である。
【図２】実施の形態１に係るフックの側面図である。
【図３】フックの分解斜視図である。
【図４】フックの一部破断側面図である。
【図５】外嵌部材を物干し竿に嵌めて嵌合部が孔の中央部まで上昇した状態を示す一部破断側面図である。
【図６】嵌合部が孔の上端部まで上昇した状態を示す一部破断側面図である。
【図７】外嵌部材を物干し竿に嵌めて外嵌部材が上昇した状態を示す一部破断側面図である。
【図８】外嵌部材を物干し竿に嵌めて外嵌部材が上昇した状態を示す一部破断側面図である。
【図９】外嵌部材を物干し竿に嵌めて外嵌部材が上昇した状態を示す一部破断側面図である。
【図１０】実施の形態２に係るフックの側面図である。
【図１１】フックの一部破断側面図である。
【図１２】フックの一部破断側面図である。
【図１３】フックの変形例を示す一部破断側面図である。
【図１４】実施の形態３に係るフックの側面図である。
【図１５】フックの一部破断側面図である。
【図１６】フックの一部破断側面図である。
【発明を実施するための形態】
【００２５】
以下、本発明を実施の形態に係るピンチを示す図面に基づいて詳述する。
以下、図に示した上下の方向を用いて説明する。
実施の形態１．
図１は、実施の形態１に係る吊下げ具１０を示す斜視図である。
吊下げ具１０の橋絡部６は、中央部が凹んだアーチ状をなす。橋絡部６の中央部に、後述する取付部２２が嵌め込まれることにより、フック１が橋絡部６に取り付けられている。橋絡部６には、両側に広がるように、長方形状をなすフレーム５，５が取り付けられている。橋絡部６の両端部にはピン受け部５１，５１が設けられており、ピン受け部５１，５１に挿通されたピン５２，５２の回動により、フレーム５，５は収納時に橋絡部６側に折り畳むことができるように構成されている。
フレーム５，５には、複数の洗濯挟み７が吊り下げられている。
フレーム５と洗濯挟み７とにより、保持部８が構成される。
【００２６】
図２はフック１の側面図、図３はフック１の分解斜視図、図４はフック１の一部破断側面図である。
フック１は、支持部材２と、外嵌部材３と、係止部材４とを備える。
外嵌部材３は、本体３１と、嵌合部３２，３２と、凹部３３と、溝３４と、ボス受け部３５とを備える。本体３１は所定幅の棒をＣ字状に湾曲した形状をなす。嵌合部３２，３２は、本体３１のＣ字の中央部の、幅方向の両側に突設されている。凹部３３は、本体３１の周方向の中央部より少し上側に設けられている。凹部３３は、前記中央部から上方に突設した突設部と本体３１の外周面とにより形成されている。ボス受け部３５は、本体３１の上端部から少し中央部寄りに設けられている。溝３４は、上端部から周方向に延びるように設けられている。
【００２７】
支持部材２は、本体２１と、取付部２２と、孔２３，２３と、閉塞部２４と、ピン挿通孔２５とを備える。
本体２１は、Ｏ字の一方の直線部分の下部が欠けた形状をなし、所定の幅を有する。本体２１は、内側が開口するＵ字断面形状を有する。図３に示すように、本体２１のＯ字の他方の直線部分の外周面は開口している。該外周面は閉じられていてもよい。
本体２１の前記一方の直線部分の上部は、外嵌部材３が上側に摺動したときにＣ字の開口の少なくとも一部を閉塞する閉塞部２４となっている。
【００２８】
取付部２２は丸軸の端面に半球を連設した形状を有し、本体２１の下部の湾曲部に設けられている。
孔２３，２３は、本体３１の周方向の中央部における、幅方向の両側に設けられており、上下方向に延びる長円状をなす。
ピン挿通孔２５は、Ｏ字の上部の湾曲部の中央部に、本体２１の幅方向に貫通するように設けられている。
【００２９】
係止部材４は、円弧状をなす本体４０と、ピン４４と、ボス４６とを備える。本体４０は、係合部４１と、挟持部４２と、当接部４３とを有する。ピン４４はボス４６の両端面から突出するように設けられ、ボス４６は係合部４１と挟持部４２との間に設けられている。挟持部４２の幅は、係合部４１及び当接部４３の幅より狭い。挟持部４２と当接部４３との連結部分は、中央部側から端部側に斜めになっている。係合部４１の厚みは、挟持部４２及び当接部４３の厚みより薄い。係合部４１は挟持部４２及び当接部４３より柔らかく、弾性のある材料から構成されている。当接部４３の端部の内側には、突起４５が設けられている。
【００３０】
図４に示すように、外嵌部材３は、嵌合部３２，３２が孔２３，２３に嵌められた状態で、支持部材２の本体２１のＯ字の下部に、本体３１の内周面が本体２１の内周面に重なるように嵌められている。物干し竿１１の外径は２０ｍｍである。
ピン挿通孔２５にボス４６が回動自在に嵌合された状態で、本体２１のＯ字の上部に係止部材４が嵌められている。当接部４３は閉塞部２４の内部に収容されている。
外嵌部材３の本体３１のＣ字の内側に物干し竿１１が入るように吊下げ具１０（フック１以外の部材は不図示）が配置される。
【００３１】
図５は外嵌部材３を物干し竿１１に嵌めて嵌合部３２が孔２３の中央部まで上昇した状態を示す一部破断側面図、図６は嵌合部３２が孔２３の上端部まで上昇した状態を示す一部破断側面図である。
上述のように物干し竿１１を配置したとき、自重及び洗濯物の重量により、支持部材２が下降し、即ち外嵌部材３の嵌合部３２，３２が孔２３，２３の側面を摺動するように案内され、支持部材２に対し相対的に上昇する。嵌合部３２は、下端部から中央部を経て、上端部まで摺動される。
【００３２】
外嵌部材３の嵌合部３２が孔２３の上端部に到達したとき、係止部材４の係合部４１の下端部が凹部３３に挟持される。ボス４６にボス受け部３５が嵌合する。前記下端部が、凹部３３に挟持されて固定された状態で、弾性力により、係合部４１の上端部がボス４６の側面を押し、ピン４４が時計回りに回動する。挟持部４２は、本体３１の上端部が当接部４３の斜面に当接して、斜面に対し相対的に摺動する状態で、溝３４に挟まれるように回動する。
係止部材４が物干し竿１１に食い込むように力がかかり、摩擦力により、当接部４３が物干し竿１１に係止される。
【００３３】
本実施形態においては、フック１の外嵌部材３を物干し竿１１に外嵌して手を放すことにより、支持部材２が下降し、即ち外嵌部材３が支持部材２に対し相対的に上昇し、フック１が物干し竿１１に掛けられる。特許文献１のフックの場合、物干し竿１１に掛けるときに挟持片の下端部をばねの力に抗して持つ必要があるが、本実施形態の場合、フック１のいずれの部分を持ってもよく、力を掛ける必要がないため、作業者の負担が少なく、フック１を物干し竿１１に容易に掛けることができる。閉塞部２４により、フック１は物干し竿１１から外れて落下するのが防止されている。当接部４３が物干し竿１１に、摩擦力によって係止されることにより、フック１の揺れ、及び物干し竿１１に対する横滑りが防止される。
また、支持部材２を持ち上げることにより、外嵌部材３が相対的に下降し、本体３１の開口が閉塞部２４により閉塞されなくなるので、容易に、負担がなく、フック１を物干し竿１１から取り外すことができる。
【００３４】
図７〜９は、物干し竿１１の外径が夫々２５ｍｍ、３０ｍｍ、３５ｍｍである場合に、外嵌部材３を物干し竿１１に嵌めて外嵌部材３が上昇した状態を示す一部破断側面図である。
図６のフック１の場合、係合部４１に押されてピン４４が回動する量（角度）が多く、当接部４３の斜面が溝３４の端部を抜けた状態で、挟持部４２が溝３４に挟まれるように回動する。
【００３５】
図６〜図９に示すように、物干し竿１１の外径が大きくなるのに従い、ピン４４の回動量が小さくなる。図９の場合、当接部４３の中央部が物干し竿１１に当接するとともに、突起４５が物干し竿１１に当接しており、物干し竿１１の外径が大きくなることにより、当接部４３の係止力が弱まって係止部材４が外れることが防止されている。
以上のように、本実施形態のフック１は、物干し竿１１の外径に応じて、良好に物干し竿１１に係止され得る。
【００３６】
実施の形態２．
実施の形態２に係るフック９は、外嵌部材３及び係止部材４の形状が実施の形態１に係るフック１の形状と異なる。実施の形態２に係る吊下げ具１０は、フック９の形状が異なること以外は、実施の形態１に係る吊下げ具１０と同様の構成を有する。
図１０はフック９の側面図、図１１及び図１２はフック９の一部破断側面図である。
フック９は、支持部材２と、外嵌部材３と、係止部材４とを備える。
外嵌部材３は、本体３１と、嵌合部３２，３２と、溝３４と、台座受け部３６と、突出部３７とを備える。本体３１は所定幅の棒をＣ字状に湾曲した形状をなす。嵌合部３２，３２は、本体３１のＣ字の中央部の、幅方向の両側に突設されている。台座受け部３６は、本体３１の上端部から少し中央部寄りに設けられている。溝３４は、上端部から周方向に延びるように設けられている。突出部３７は水平方向に延びる平らな端面を有し、台座受け部３６に隣接する状態で、上側に突出するように設けられている。
【００３７】
支持部材２は、本体２１と、取付部２２と、孔２３，２３と、閉塞部２４と、ピン挿通孔２５とを備える。
本体２１は０字の一方の直線部分の下部が欠けた形状をなし、所定の幅を有する。本体２１は、内側が開口するＵ字断面形状を有する。本体２１の０字の他方の直線部分の上側の外周面は開口している。該外周面は閉じられていてもよい。
本体２１の前記一方の直線部分の上部は、外嵌部材３が上側に摺動したときにＣ字の開口の少なくとも一部を閉塞する閉塞部２４となっている。
【００３８】
取付部２２は丸軸の端面に半球を連設した形状を有し、本体２１の下部の湾曲部に設けられている。
孔２３，２３は、本体２１の周方向の中央部における、幅方向の両側に設けられており、上下方向に延びる長円状をなす。
ピン挿通孔２５は、０字の上部の湾曲部の中央部に、本体２１の幅方向に貫通するように設けられている。
【００３９】
係止部材４は、円弧状をなす本体４０と、ピン４４とを備える。係止部材４は弾性を有し、例えば低密度ポリエチレン（高圧法ポリエチレン）等の合成樹脂からなる。本体４０は、係合部４７と、ピン４４の台座４９と、挟持部４２と、当接部４３とを有する。台座４９は滴状をなし、係合部４７と挟持部４２との間に設けられ、ピン４４は台座４９の両平面の端部から突出するように設けられている。当接部４３も滴状をなし、当接部４３と台座４９とにより挟まれた挟持部４２は台形状をなす。係合部４７の厚みは、挟持部４２、台座４９、及び当接部４３の厚みより薄い。挟持部４２の幅は、係合部４７、台座４９、及び当接部４３の幅より狭い。係合部４７の端部の内側には、水平方向に延びる円柱状の突起部４８が設けられている。当接部４３の下端部は丸くなっている。
【００４０】
図１１に示すように、外嵌部材３は、嵌合部３２，３２が孔２３，２３に嵌められた状態で、支持部材２の本体２１の０字の下部に、本体３１の内周面が本体２１の内周面に重なるように嵌められている。
ピン挿通孔２５にピン４４が回動自在に嵌合された状態で、本体２１のＯ字の上部に係止部材４が嵌められている。当接部４３は閉塞部２４の内部に収容されている。
外嵌部材３の本体３１のＣ字の内側に物干し竿１１が入るように吊下げ具１０（フック９以外の部材は不図示）が配置される。
【００４１】
上述のように物干し竿１１を配置したとき、自重及び洗濯物の重量により、支持部材２が下降し、即ち外嵌部材３の嵌合部３２，３２が孔２３，２３の側面を摺動するように案内され、支持部材２に対し相対的に上昇する。嵌合部３２は、下端部から中央部を経て、上端部まで摺動される。
【００４２】
図１２に示すように、外嵌部材３の嵌合部３２が孔２３の上端部に到達したとき、台座受け部３６に台座４９が嵌り、突出部３７が係合部４７の突起部４８に係合し、突起部４８を押圧する。突出部３７が突起部４８を押圧する状態で、ピン４４が時計回りに回動する。挟持部４２は、本体３１の上端部が当接部４３の斜面に当接して、斜面に対し相対的に摺動する状態で、溝３４に挟まれるように回動する。
突出部３７に突起部４８が係合し、係止部材４が物干し竿１１に食い込むように力がかかる。外嵌部材３と当接部４３とで形成される空間は、物干し竿１１の断面積より小さいので、外向きに大きな反力が生じ、摩擦力により、当接部４３が物干し竿１１に強固に係止される。
凹部３３に係合部４１の下端部が挟持される実施の形態１に係るフック９と比較して、突起部４８は突出部３７に容易に係合される。物干し竿１１の大きさに応じて、係合部４１が変形する実施の形態１のフック９と異なり、本実施の形態の場合、物干し竿１１の大きさに応じて、突起部４８が突出部３７の平端面上で係合する位置が変わることができ、物干し竿１１の大きさに柔軟に対応できる。
【００４３】
本実施形態においては、フック９の外嵌部材３を物干し竿１１に外嵌して手を放すことにより、支持部材２が下降し、即ち外嵌部材３が支持部材２に対し相対的に上昇し、フック９が物干し竿１１に掛けられる。閉塞部２４により、フック９は物干し竿１１から外れて落下するのが防止されている。当接部４３が物干し竿１１に、摩擦力によって係止されることにより、フック９の揺れ、及び物干し竿１１に対する横滑りが防止される。
また、支持部材２を持ち上げることにより、外嵌部材３が相対的に下降し、本体３１の開口が閉塞部２４により閉塞されなくなるので、容易に、負担がなく、フック９を物干し竿１１から取り外すことができる。
【００４４】
（変形例）
図１３は、フック９の変形例を示す一部破断側面図である。図中、図１２と同一部分は同一符号を付して詳細な説明を省略する。
図１３のフック９においては、係合部５０は突起部４８を有さず、側面視が長円状をなす。外嵌部材３の嵌合部３２が孔２３の上端部に到達したとき、係合部５０の端部が突出部３７に係合する。
【００４５】
実施の形態３．
実施の形態３に係るフック１２は、外嵌部材３の形状が実施の形態１に係るフック１の形状と異なり、フック１２は係止部材４を有しない。実施の形態３に係る吊下げ具１０は、フック１２の形状が異なること以外は、実施の形態１に係る吊下げ具１０と同様の構成を有する。
図１４はフック１２の側面図、図１５及び図１６はフック１２の一部破断側面図である。
フック９は、支持部材２と、外嵌部材３とを備える。
外嵌部材３は、本体３１と、嵌合部３２と、突起部３８，３８とを備える。本体３１は所定幅の棒をＣ字状に湾曲した形状をなす。嵌合部３２は、本体３１のＣ字の中央部に突設されている。嵌合部３２の幅は、本体３１の幅より広い。突起部３８，３８はＣ字の本体３１の両端部に外向きに設けられ、水平方向に延びる円柱状をなす。本体３１は、全体としてΩ状をなす。図１４に示すように、２つの突起部３８，３８が対向する部分が湾曲しており、湾曲した部分の間隔Ｗは、物干し竿１１の直径より短い。外嵌部材３は例えば低密度ポリエチレン（高圧法ポリエチレン）等の合成樹脂からなり、可撓性を有する。
【００４６】
支持部材２は、本体２１と、取付部２２と、孔２３，２３と、閉塞部２４とを備える。
本体２１は０字の一方の直線部分の下部が欠けた形状をなし、所定の幅を有する。本体２１は、内側が開口するＵ字断面形状を有する。本体２１の０字の他方の直線部分の下側の外周面は開口している。該外周面は閉じられていてもよい。
本体２１の前記一方の直線部分の上部は、外嵌部材３が上側に摺動したときにＣ字の開口を閉塞する閉塞部２４となっている。
【００４７】
取付部２２は丸軸の端面に半球を連設した形状を有し、本体２１の下部の湾曲部に設けられている。
孔２３，２３は、本体２１の周方向の中央部における、幅方向の両側に設けられており、上下方向に延びる長円状をなす。
【００４８】
本体２１の幅と突起部３８の幅とは略同じである。
図１４及び図１５に示すように、外嵌部材３は、嵌合部３２が孔２３，２３に嵌められ、上側の突起部３８が閉塞部２４の下端部に嵌められた状態で、本体３１の下側部分が、本体２１の０字の下部に、本体３１の内周面が本体２１の内周面に重なるように嵌められている。
【００４９】
図１５に示すように、外嵌部材３の本体３１のＣ字の内側に物干し竿１１が入るように吊下げ具１０（フック１２以外の部材は不図示）が配置される。このとき、間隔Ｗは物干し竿１１の直径より短いので、突起部３８，３８間を押し広げるようにして、物干し竿１１を本体３１内に挿入する。
【００５０】
図１６に示すように、自重及び洗濯物の重量により、支持部材２が下降し、即ち外嵌部材３の嵌合部３２が孔２３，２３の側面を摺動するように案内され、孔２３の上端部に到達したとき、本体３１の突起部３８が閉塞部２４の下端部に当接し、他方の突起部３８は閉塞部２４の内周面に係合して、物干し竿１１が本体３１内に拘束される。物干し竿１１の直径に応じて、上側の突起部３８の本体２１の内周面における係合部分は異なる。
【００５１】
支持部材２を持ち上げることにより、外嵌部材３が相対的に下降し、本体３１の開口が閉塞部２４により閉塞されなくなるので、容易に、負担がなく、フック１２を物干し竿１１から取り外すことができる。
本実施の形態においては、簡単な構成により、物干し竿１１に容易に着脱でき、物干し竿１１から外れて落下することが良好に防止されている。
【００５２】
今回開示した実施形態は、全ての点で例示であって、制限的なものではないと考えられるべきである。実施形態にて記載されている技術的特徴は互いに組み合わせることができ、本発明の範囲は、特許請求の範囲内での全ての変更及び特許請求の範囲と均等の範囲が含まれることが意図される。
【００５３】
例えば、前記実施形態１〜３においては、棒体として、物干し竿１１にフック１を係止する場合につき説明しているが、これに限定されるものではなく、クローゼットの水平方向に延びるバー等にフック１を係止することにしてもよい。また、吊り具１０は洗濯物等の布体を吊るす場合には限定されず、シート、フィルム、食品等の被吊下げ物を吊るして乾燥させることができる。
そして、フック１、９が棒体から脱落しないことのみを目的とする場合、係止部材４を省略してもよい。
フック１、９、及び１２は、長方形状のフレーム５に取り付けられる場合に限定されず、三角形状のハンガー、又は円形状のフレームに取り付けられるものであってもよい。
【符号の説明】
【００５４】
１、９、１２  フック
２  支持部材
２１  本体
２２  取付部
２３  孔
２４  閉塞部
２５  ピン挿通孔
３  外嵌部材
３１  本体
３２  嵌合部
３３  凹部
３４  溝
３５  ボス受け部
３６  台座受け部
３７  突出部
３８  突起部
４  係止部材
４０  本体
４１、４７  係合部
４２  挟持部
４３  当接部
４４  ピン
４５  突起
４６  ボス
４８  突起部
４９  台座
５  フレーム
６  橋絡部
７  洗濯挟み
８  保持部
１０  吊下げ具
【図１】
2019130280.tif 000003
【図２】
2019130280.tif 000004
【図３】
2019130280.tif 000005
【図４】
2019130280.tif 000006
【図５】
2019130280.tif 000007
【図６】
2019130280.tif 000008
【図７】
2019130280.tif 000009
【図８】
2019130280.tif 000010
【図９】
2019130280.tif 000011
【図１０】
2019130280.tif 000012
【図１１】
2019130280.tif 000013
【図１２】
2019130280.tif 000014
【図１３】
2019130280.tif 000015
【図１４】
2019130280.tif 000016
【図１５】
2019130280.tif 000017
【図１６】
2019130280.tif 000018